(57)【要約】【課題】本発明は、移動端末と通信回線との間を接続する方法に関する。この方法の場合、移動端末とネットワークとが、接続パラメータの選択後にアクセスポイントを介して接続される。本発明の課題は、異なる規格の異なる通信回線に対する現在利用可能な接続オプションの自動認証，これらの規格に対して入手されたパラメータの記憶及び評価並びにこれらの入手された接続オプションのうちの１つの接続オプションとの接続のセットアップ及び維持が実現される方法を提供することにある。この課題は、第１の規格の選択後に複数の接続オプションがこの規格内で検査されることによって、異なる規格及び周波数帯の異なる回線に対して利用可能な接続オプションが自動認証されること、同様に複数の接続オプションが検査されることによって、引き続き第２の規格が選択され、１つの接続オプションがこの規格によって入手されたこの規格を表すパラメータを記憶すること、１つの規格によって交信される１つのアクセスポイントに対する接続が、選択基準にしたがってプログラム制御で又はマニュアルで選択されてセットアップされることによって解決される。【特許請求の範囲】
【請求項１】
移動端末と通信回線との間を接続する方法にあって、この方法の場合、移動端末とネットワークとが、接続パラメータの選択後にアクセスポイントを介して接続される方法において、第１の規格の選択後に複数の接続オプションがこの規格内で検査されることによって、異なる規格及び周波数帯の異なる回線に対して利用可能な接続オプションが自動認証されること、同様に複数の接続オプションが検査されることによって、引き続き第２の規格が選択され、１つの接続オプションがこの規格によって入手されたこの規格を表すパラメータを記憶すること、１つの規格によって交信される１つのアクセスポイントに対する接続が、選択基準にしたがってプログラム制御で又はマニュアルで選択されてセットアップされることを特徴とする方法。
【請求項２】
接続オプションとの接続がセットアップされ、この接続は、データスループットに関して最大になることを特徴とする請求項１に記載の方法。
【請求項３】
認証及びデータの記憶は、ログオン前にアクセスポイントで実行されることを特徴とする請求項１に記載の方法。
【請求項４】
認証及びデータの記憶は、存在する接続の間にアクセスポイントに対して実行されることを特徴とする請求項１に記載の方法。
【請求項５】
信号が認証の実行前に送られること、移動端末は、データを所定の期間受信できず、到着したデータのバッファリングが、アクセスポイントで実行されることを特徴とする請求項４に記載の方法。
【請求項６】
移動端末は、認証手続きを実行する現在のアクセスポイントで認証を実行する前にログオフすること、及び、この移動端末は、認証の終了後に同じアクセスポイント又は別のアクセスポイントでログオンすることを特徴とする請求項４に記載の方法。
【請求項７】
認証及びデータの記憶又は更新は、出力管理サイクルで実行されることを特徴とする請求項１に記載の方法。
【請求項８】
認証及びデータの記憶又は更新は、定期的に実行されることを特徴とする請求項１に記載の方法。
【請求項９】
利用可能な接続オプションの認証が、能動的に又は受動的に実行されることを特徴とする請求項１に記載の方法。
【請求項１０】
認証手続きは、アクセスポイントへの能動的な接続の間のデータ伝送の休止中に実行されることを特徴とする請求項１に記載の方法。
【請求項１１】
伝送特性の悪化時及び現在のアクセスポイントへの接続故障時に、記憶されたデータへのアクセス後又は新たな認証手続き後に、より良好な伝送特性を保証するアクセスポイントに交換されることを特徴とする請求項１に記載の方法。
【請求項１２】
異なる規格及び周波数帯への切り換えが、プログラム制御で又はプロセッサの再起動によって実行されることを特徴とする請求項１に記載の方法。
【請求項１３】
現在のアクセスポイントを有する接続パラメータと別の接続オプションとの間の定期的な比較が実行されること、及び自動的に又はマニュアルで別の接続オプションに切り換えられることを特徴とする請求項１に記載の方法。
【発明の詳細な説明】
【技術分野】
【０００１】
本発明は、移動端末と通信回線との間を接続する方法に関する。この方法の場合、移動端末とネットワークとが、接続パラメータの選択後にアクセスポイントを介して接続される。
【背景技術】
【０００２】
移動端末は、本発明の場合は例えばコードレス電話，携帯電話又はコンピュータでもよい。これらの移動端末は、いわゆるアクセスポイントを介してそれぞれの通信回線に接続される。コードレス電話の場合、基地局が、電話回線に接続されている。携帯電話の場合、現在の無線セルの基地局を介して移動無線回線に接続される。その一方でコンピュータは、例えばプロバイダのアクセスポイントを介してインターネットに接続される。
多数の接続方法が、それぞれの用途で従来の技術から公知である。
【０００３】
第１の方法が、モデムの実際に利用されるデータ速度の認識を支援する。別の回線加入者が、電話回線を介して選択されて接続されたモデムによって呼び出された後に、双方の機器が、例えば伝送速度，誤り訂正，データ圧縮や使用されるプロトコルのような重要なパラメータに互いに同調する。パラメータが同調した後に、実際のデータ伝送が開始する。
【０００４】
別の接続方法が、コードレス電話の分野から公知である。１つの移動端末が、ＤＥＣＴ規格にしたがって規格範囲内の全ての可能な伝送チャネルを検査し、次いで接続をセットアップするために最良な受信結果を伴うチャネルを選択する。この方法は、伝送の干渉度を低下させ同時に音声品質を向上させる。セル間をスムーズに移行する単一セルシステム及びマルチセルシステムが、この規格によって支援される。
【０００５】
携帯電話に利用されるＧＳＭ規格の場合、同様に接続のセットアップ前に、探索が、可能な周波数範囲及びチャネルにわたって実行される。
さらに、ＧＳＭ規格とＤＥＣＴ規格の双方で作動できる機器が公知である。同様にコンピュータ回線の分野に対しても当てはまる。コンピュータ回線の場合、ＷＬＡＮ／ＧＰＲＳのインプリメンテーションが公知である。この場合、移動端末が、ＷＬＡＮ規格又はＧＰＲＳ規格に設定される。稼動中の規格の交換は不可能である。
【０００６】
ＷＬＡＮ分野からの方法が、米国特許発明第 5,991,287号明細書から公知であある。この方法の場合、さらなるアクセスポイントに向かう探索が、現在のアクセスポイントに接続されている間に実行される。
これらの公知の方法は、特に１つの規格内で又は同種の規格間での１回限りの選択で移動端末と通信回線との間の接続のセットアップを可能にする。伝送方式，アクセス方法及び変調方式は、ＧＳＭ及びＤＥＣＴの場合で同一である。これによって、１つの接続が選択される。この接続は、移動端末の現在地に関して最善なデータ伝送速度を伴う接続とは限らない。さらに、例えばＷＬＡＮ／ＧＰＲＳの場合、接続をどの規格でセットアップしなければならないかを、システムをスタートさせる前に既に確定する必要がある。実際の接続が中断された時は、まず可能なアクセスポイントを探索し、引き続きこのアクセスポイントに接続する必要がある。このことは、特定の時間を浪費する。
【特許文献１】米国特許発明第 5,991,287号明細書
【発明の開示】
【発明が解決しようとする課題】
【０００７】
本発明の課題は、異なる規格の異なる通信回線に対する現在利用可能な接続オプションの自動認証，これらの規格に対して入手されたパラメータの記憶及び評価並びにこれらの入手された接続オプションのうちの１つの接続オプションとの接続のセットアップ及び維持が実現される方法を提供することにある。
【課題を解決するための手段】
【０００８】
冒頭で述べた種類の方法の場合、この課題は、本発明により、第１の規格の選択後に複数の接続オプションがこの規格内で検査されることによって、異なる規格及び周波数帯の異なる回線に対して利用可能な接続オプションが自動認証されること、同様に複数の接続オプションが検査されることによって、引き続き第２の規格が選択され、１つの接続オプションがこの規格によって入手されたこの規格を表すパラメータを記憶すること、１つの規格によって交信される１つのアクセスポイントに対する接続が、選択基準にしたがってプログラム制御で又はマニュアルで選択されてセットアップされることによって解決される。
【０００９】
移動端末が起動又は再起動した後に、この移動端末は、存在する接続オプションを探索する。さらに、この移動端末に既知でかつ常に実現可能な全ての接続規格が連続して設定される。第１の規格が設定された後に、ＤＥＣＴ規格の第２搬送周波数が設定され、全ての付随するチャネルが新たに検査される前に、例えば全てのチャネルが、ＤＥＣＴ規格の第１搬送周波数に対して連続して検査されることによって、接続オプションがこの第１の規格内で検査される。この検査は、信号を送信して受け取った応答を評価することによって能動的に実行してもよいし又は受信だけを評価することによって受動的に実行してもよい。第１の規格内での探索が終了した後に、１つの特定の規格にしたがう１つの接続のセットアップに必要な構造グループが、プログラム制御されるか又は再起動によって検査すべき第２の規格に設定される。そしてこの第２の規格内での探索が続行される。例えばIEEE 802.11 a/b/g ，ハイパーＬＡＮ／２，ブルートゥース及びＧＰＲＳが、これらの可能な規格に含まれる。規格の名称，周波数帯，搬送周波数，チャネル，接続試験の結果等のようなパラメータが、探索ごとに記憶される。この場合、データの記憶を接続が入手された可能性のあるパラメータに限定してもよい。記憶されたデータは、引き続き評価され得る。評価の基準は、例えば接続速度，データのスループット，信号の強さ又は接続のためのコストでもよい。引き続き設定されたプリセットパラメータによってプログラム制御されるか、又は、ユーザが任意に処理できる接続オプションのリストから選択した後に、１つのアクセスポイントに対する接続がセットアップされる。
【００１０】
本発明の構成では、データのスループットが最大になる接続オプションとの接続がセットアップされることが提唱されている。
接続オプションの探索時に記憶されたデータは、例えば入手された規格の伝送速度に関して評価するという可能性を提供する。この評価の場合、効果的に達成可能なデータ速度を考慮してもよいし、又は、これらの有効データをプリアンブルデータ，ヘッドデータ及びＣＲＣデータの取り出し後にＷＬＡＮパケット中にさらに伝送してもよい。別の可能性は、信号強度の評価である。何故なら、この評価は、誤りのあるデータ伝送の可能性を推測しかつ避けられない誤りを含んで送信されるパケットの新たな送信によって予測される有効なデータ速度を予測するからである。
【００１１】
本発明の良好な構成では、認証及びデータの記憶が、アクセスポイントへのログオン前に実行される。
移動端末のスイッチオン又は起動後に、認証手続きが実行される。何故ならこの認証手続きは、アクセスポイントとの接続のセットアップに対する基礎であるからである。この最初の認証手続きが、結果として接続オプションを認証しなかった場合、２番目の場合によってはさらに必要な認証手続きが、最初の認証手続きに続いてすぐに又はプリセット時間の経過後に開始される。
本発明の別の良好な構成では、認証及びデータの記憶が、アクセスポイントへの接続の間に実行される。
【００１２】
最初の認証手続きが、移動端末のスイッチオン後に実行された後に、アクセスポイントへの接続のセットアップが続く。現在のアクセスポイントに対する移動端末の場所の変更によって及び／又は障害によって、存在する接続の特性が変化する。通信回線との可能な接続が移動端末のユーザに可能にしなければならないので、現在のアクセスポイントとの接続を終了させて新たなアクセスポイントへの接続をセットアップすることが必要である。別のアクセスポイントへの切り換え時に接続のない時間を少なくするため、接続中の期間でも別の認証手続きが実行される。したがって、接続を切り換えなければならない場合に、移動端末が、別の接続の現在のデータにアクセスできる。
【００１３】
本発明の好適な構成では、移動端末が所定の期間にデータを受信できず、到着するデータをアクセスポイント内にバッファリングすることが、認証の実行前に現在のアクセスポイントに伝えられる。
送信器，受信器及び付随するデータ処理構成要素しか装備しない移動端末は、進行する認証手続き中にデータをアクセスポイントに送信できないか又はこの移動端末によって受信できない。この理由から、移動端末は、例えばＷＬＡＮの規格で行われているように意図及び接続の中断期間に関するメッセージを現在のアクセスポイントに送る。したがって、場合によっては起こり得る認識手続きの期間中に到着するデータが、アクセスポイントによって記憶され、接続の再開後に移動端末に伝送されることが保証される。
【００１４】
本発明の別の実施形では、移動端末が、認証手続きを実行する現在のアクセスポイントで認証の実行前にログオフし、移動端末が、認証の終了後に同じアクセスポイント又は別のアクセスポイントでログオンする。
この実施形でも、移動端末とアクセスポイントとの間の伝送時のデータ損失が発生しないことが保証される。現在のアクセスポイントのログオフ後に、移動端末が、認証手続き及び記憶されたデータの更新を実行する。次いで、新たにプログラム制御されるか又はマニュアルの選択によって、アクセスポイントに接続される。
【００１５】
本発明の特別な構成では、認証及びデータの記憶又は更新が出力管理サイクル(Powermanagementzyklus) 中に実行される。
この場合、この認証手続きは出力管理サイクル中に実行される。この出力管理サイクルの利用の利点は、一方ではデータがこの期間内に送信されず、他方では移動端末が場合によっては起こりうる中断すべきでない別の処理を実行しない点にある。
本発明の別の構成では、認証及びデータの記憶又は更新が定期的に実行される。
【００１６】
移動端末のスイッチオン又は起動後に最初に実行される認証手続きが、個々に検査及び／又は入手された接続オプションに対するデータを移動端末の記憶器内に記憶する。後続する認証手続きが、記憶されたデータを上書きするか又は更新する。データの記憶に関連する接続オプションを定期的に認証することによって、伝送特性の悪化又は現在のアクセスポイントへの接続の故障の場合に、新たな認証手続きを費やすことなしに、最後に使用した規格の範囲内又は範囲外の別のアクセスポイントに交換することが可能である。したがって、接続していない時間が最小限に抑えられる。
本発明の良好な実施形では、利用可能な接続オプションが、能動的に又は受動的に認証される。
【００１７】
能動的な認証では、信号を可能なアクセスポイントに送信して応答を待つ。これに対して受動的な認証の場合は、受信信号だけが評価される。
本発明の良好な構成では、認証手続きが、アクセスポイントへの能動的な接続の間にデータ伝送の休止中に実行される。
移動端末は、例えばアクセスポイントを介してインターネットに接続されている。多くの場合、多数のデータが、回線から移動端末に転送され移動端末から回線に転送される。このことは、データが所定の側から転送された後に、これらのデータがセットアップされ、データ伝送に対するさらなる問い合わせが発生するまで、ユーザが短期間にユーザ自身を確認することを伴う。データ伝送中のこの休止は、認証手続きを実行する本発明の方法によって利用される。
【００１８】
本発明の別の実施形では、伝送特性の悪化時及び現在のアクセスポイントへの接続故障時に、記憶されたデータへのアクセス後又は新たな認証手続き後に、より良好な伝送特性を保証するアクセスポイントに交換される。
本発明の方法は、伝送特性の悪化時又は接続故障時に現在のアクセスポイントを交換することによって接続回線に対する接続を維持することを実現する。この場合、移動端末が、入手された接続オプションの記憶されたデータにアクセスする。これによって、別のアクセスポイントが、最後の現在の規格に対して異なる規格で作動するときでも、この別のアクセスポイントへの接続が、最短時間でセットアップできる。この接続は、この場所で同様にプリセットパラメータにしたがってプログラム制御されるか又はマニュアルの選択にしたがって実行される。記憶されたデータがもはや存在しないか又はこれらのデータがこの場所にももはや実際に存在しない場合、認証手続きを開始すること、引き続き新しい接続をセットアップすることが可能である。
【００１９】
本発明の特別な構成では、異なる規格及び周波数帯への切り換えが、プログラム制御されるか又はぴプロセッサの再起動によって実行される。
希望の規格への移動端末の設定は、機器の起動過程時に実行され得る。さらに、対応するプロトコルが、検査すべき各規格に対して存在する。このプロトコルは、従来の技術の変更時にアップグレード，消去，適合され得るか又はさらに補充され得る。規格の切り換えの別の実施形は、プログラムの進行による制御である。
本発明の別の構成では、現在のアクセスポイントを有する接続パラメータと別の接続オプションとの間の定期的な比較が実行され、自動的に又はマニュアルで別の接続オプションに交換される。
【００２０】
移動端末は、定期的な認証手続きを実行する。
したがって、移動端末の場所の変更時又は障害時でも、認証した接続オプションの現在のデータが常に存在する。これらのデータは、プリセットされているパラメータによって評価されて現在のアクセスポイントに対する接続と比較される。移動端末は、例えばその時により大きいデータ伝送速度又はより良好な特性を有する１つのアクセスポイントが入手可能であることを確認した場合、この移動端末は、進行動作中に自動的に又は問い合わせ後に別のアクセスポイントに入れ替る。
以下に、本発明を実施の形態に基づいて詳しく説明する。
【発明を実施するための最良の形態】
【００２１】
この例に対しては、移動端末がＷＬＡＮの環境下にある携行可能なコンピュータによって具体化されることが仮定される。この移動端末は、スイッチオンされ起動過程の終了後に規格IEEE 802.11 a に設定される。この第１の規格の設定後に、移動端末は、この設定された規格内で利用可能な接続オプションの自動認証を開始する。この規格を表す全てのパラメータが、この移動端末によって記憶される。このデータ量が希望でない場合、パラメータの記憶量が「利用可能な接続オプション」の記憶量に低減され得る。次いで、第２の規格、例えばEEE 802.11 bが設定され、接続オプションの第２の探索が、この規格内でデータの付随する記憶量によって実行される。移動端末に既知の全ての規格が検査されるまで、規格の設定のこの手続き及び付随する接続オプションの探索が継続される。次いで移動端末は、プリセットパラメータであるデータ伝送速度にしたがって認証した接続オプションのデータを評価し最大のデータ伝送速度を可能にするアクセスポイントに自動的に接続する。自動接続の設定が、移動端末のユーザによって停止された場合、データ伝送速度にしたがって分類された接続オプションの選択リストがユーザに表示される。ユーザが１つの接続オプションを選択した後に、移動端末は、この選択された接続オプションを支援するアクセスポイントにログオンする。ログオン後に、従来の技術から公知な方法で回線と交信する。
【００２２】
伝送特性の悪化が、進行動作中に例えば現在のアクセスポイントに対する移動端末の場所の変更によって発生しうる。このとき、現在のアクセスポイントに対する接続を終了すること及び別のアクセスポイントを新たに選択して再びセットアップすることが必要になる。移動端末が、この場合に対して接続オプションを介して現在のデータにアクセスできるように、接続の構築前だけではなくて接続が存在する間も、定期的な認証手続きが実行される。したがって、伝送特性が悪化した場合又は接続が中断した場合、最短時間でこの回線又は別の回線の別の既知のアクセスポイントに交換され得る。したがって、１つの回線内のアクセスポイントだけではなくて、通信に利用された規格も交換可能である。現在のデータが入手不可能である場合、新たな認証手続き後に、対応するアクセスポイントに切り換えることも可能である。
【００２３】
認証手続きを定期的に実行するため、移動端末がアクセスポイントに信号を送ることが可能であり、データの受信が所定の期間不可能であり、このアクセスポイントが、場合によっては起こりうる到着するデータパケットの記憶を実現する。移動端末は、この所定の期間内に利用可能な接続オプションの自動認証実行し、このとき入手したデータを記憶する。さらに、全データセットを上書きすること又は選択されたデータだけを更新することが可能である。
【００２４】
新たな探索を実行する第２の可能性は、現在のアクセスポイントに対する移動端末のログオフ、認証手続きの実行及び同じアクセスポイント又は別のアクセスポイントに対する移動端末の新たなログオンにある。利用すべきアクセスポイントに関するこの決定は、プリセットパラメータに基づいて又はマニュアルの選択によって入手された接続オプションを評価した後になされる。
【００２５】
認証手続きは、好ましくは出力管理サイクル中に実行してもよい。何故なら、データをこのサイクル内に伝送する必要がないからである。この可能性の利用下では、定期的な認証及びこれに関連して接続オプションに関するデータの更新が保証される。
【００２６】
現在のデータベースは、現在のアクセスポイントに対する接続のパラメータと入手された接続オプションとの間の定期的な比較を移動端末に可能にさせる。より良好なパラメータとの接続が別のアクセスポイントを介して可能であることがこの比較結果で確認された場合、移動端末は、自動的に又はユーザによる確認後に別のアクセスポイントに切り換る。この場合、別の規格への交換が実行される。すなわち、移動端末は、例えばＷＬＡＮの故障後にＧＰＲＳ回線にログオンする。ユーザに対して最適な接続特性が、この方法によって保証される。
【手続補正書】
【提出日】平成17年3月21日(2005.3.21)
【手続補正１】
【補正対象書類名】特許請求の範囲
【補正対象項目名】請求項１
【補正方法】変更
【補正の内容】
【請求項１】
移動端末と通信回線との間を接続する方法にあって、この方法の場合、移動端末とネットワークとが、接続パラメータの選択後にアクセスポイントを介して接続され、この場合、第１の規格の選択後に複数の接続オプションがこの規格内で検査されることによって、異なる規格及び周波数帯の異なる回線に対して利用可能な接続オプションが自動認証されること、同様に複数の接続オプションが検査されることによって、引き続き第２の規格が選択され、１つの接続オプションがこの規格によって入手されたこの規格を表すパラメータを記憶する方法において、１つの規格によって交信されかつ１つの接続オプションに対して入手された１つのアクセスポイントに対する接続が、移動端末によって選択基準にしたがってプログラム制御で又はマニュアルで選択されてセットアップされることを特徴とする方法。
【手続補正２】
【補正対象書類名】特許請求の範囲
【補正対象項目名】請求項７
【補正方法】変更
【補正の内容】
【請求項７】
第１の認証手続きに続く第２の認証手続きから成る１つの接続オプションの規格を表すパラメータが記憶される場合の認証及びデータの記憶又は更新は、データが受信されずかつ移動端末が場合によっては起こりうる中断すべきでない別の処理を実行しない期間内に実行されることを特徴とする請求項１に記載の方法。
【手続補正３】
【補正対象書類名】特許請求の範囲
【補正対象項目名】請求項８
【補正方法】変更
【補正の内容】
【請求項８】
第１の認証手続きに続く第２の認証手続きから成る１つの接続オプションの規格を表すパラメータが記憶される場合の認証及びデータの記憶又は更新は、定期的に実行されることを特徴とする請求項１に記載の方法。
【手続補正４】
【補正対象書類名】特許請求の範囲
【補正対象項目名】請求項９
【補正方法】変更
【補正の内容】
【請求項９】
利用可能な接続オプションの認証が、１つの信号を可能なアクセスポイントに送信して受信信号を評価することによって又は受信信号を評価することだけによって実行されることを特徴とする請求項１に記載の方法。
【手続補正５】
【補正対象書類名】明細書
【補正対象項目名】０００６
【補正方法】変更
【補正の内容】
【０００６】
ＷＬＡＮ分野からの装置及び方法が、米国特許発明第 5,991,287号明細書から公知であある。この方法の場合、さらなるアクセスポイントに向かう探索が、現在のアクセスポイントに接続されている間に実行され、１つの無線式のコンピュータ回線内で第１のアクセスポイントから第２のアクセスポイントに接続を連続して受け渡すことが可能になる。
この移動端末は、入手可能なアクセスポイントを探索する走査ユニットを有する。接続特性が検査されるように、この探索は実行される。その結果、接続特性が所定の閾値より上にあるかどうかが決定される。接続特性が閾値の下にある場合、接続特性においてより良好な１つ又は多数の入手可能なアクセスポイントを入手する目的で走査を実行する。探索が成功に実行された場合、古いアクセスポイントによる接続のセットアップの後に、入手されたアクセスポイントによる接続のセットアップが実行される。移動端末とアクセスポイントとの間の通信が、適切な信号制御によって例えばIEEE 802.11 プロトコルにしたがって制御される。この信号制御は、走査時間内のデータ損失を低減する。
これらの公知の方法は、特に１つの規格内で又は同種の規格間での１回限りの選択で移動端末と通信回線との間の接続のセットアップを可能にする。伝送方式，アクセス方法及び変調方式は、ＧＳＭ及びＤＥＣＴの場合で同一である。これによって、１つの接続が選択される。この接続は、移動端末の現在地に関して最善なデータ伝送速度を伴う接続とは限らない。さらに、例えばＷＬＡＮ／ＧＰＲＳの場合、接続をどの規格でセットアップしなければならないかを、システムをスタートさせる前に既に確定する必要がある。実際の接続が中断された時は、まず可能なアクセスポイントを探索し、引き続きこのアクセスポイントに接続する必要がある。このことは、特定の時間を浪費する。
ヨーロッパ特許出願公開第1 257141号明細書では、動的システム出力適合（ＤＳＰＡ）特に無線アクセス回線間のＤＳＰＡ用の方法及び装置が開示されている。このＤＳＰＡは、異なる無線アクセス技術又はプロトコルを使用する。
このヨーロッパ特許出願公開第1 257141号明細書は、少なくとも第１及び第２の移動長距離伝送回線の動作に対する装置及び方法を提供する。これらの移動長距離伝送回線は、少なくとも１つの共通の節点を介して接続されている。第１の回線の範囲内にある移動データ端末が、この第１の回線に対する能動的な接続をセットアップする。この移動データ端末は、周波数スペクトルを走査すること及び別の可能な無線アクセス回線を認証することができる。この走査結果が、この移動データ端末からその回線のアクセスポイントに伝送される。
移動データ端末は、所定の移動長距離伝送回線サービスの要求に応じてその第１の長距離伝送回線にメッセージを送る。この第１の回線内では、走査報告に基づいて、走査時に入手された無線回線のうちのどの無線回線が要求されたサービスに適しているかが決定される。次いで第１の無線回線は、共通の節点で第２の回線を介した移動データ端末との通信の少なくとも一部が実行できるかどうかを問い合せる。
この手段の欠点は、異なる無線回線に対して１つの共通の節点を必要とすること、移動端末を無線回線にデータ接続することが必要であること及び利用すべき接続オプションに関して中央で決定することである。
【特許文献１】米国特許発明第 5,991,287号明細書
【特許文献２】ヨーロッパ特許出願公開第1 257141号明細書
【手続補正６】
【補正対象書類名】明細書
【補正対象項目名】０００７
【補正方法】変更
【補正の内容】
【０００７】
本発明の課題は、異なる規格の異なる通信回線に対する現在利用可能な接続オプションの自動認証，これらの規格に対して入手されたパラメータの記憶及び評価並びにこれらの入手された接続オプションのうちの１つの接続オプションとの接続のセットアップ及び維持が移動端末によって実現される方法を提供することにある。
【手続補正７】
【補正対象書類名】明細書
【補正対象項目名】００１５
【補正方法】変更
【補正の内容】
【００１５】
本発明の特別な構成では、第１の認証手続きに続く第２の認証手続きから成る１つの接続オプションの規格を表すパラメータが記憶される場合の認証及びデータの記憶又は更新は、データが受信されずかつ移動端末が場合によっては起こりうる中断すべきでない別の処理を実行しない期間内に実行される。
この場合、この認証手続きは出力管理サイクル中に実行される。この出力管理サイクルの利用の利点は、一方ではデータがこの期間内に送信されず、他方では移動端末が場合によっては起こりうる中断すべきでない別の処理を実行しない点にある。
本発明の別の構成では、第１の認証手続きに続く第２の認証手続きから成る１つの接続オプションの規格を表すパラメータが記憶される場合の認証及びデータの記憶又は更新は、定期的に実行される。
【手続補正８】
【補正対象書類名】明細書
【補正対象項目名】００１６
【補正方法】変更
【補正の内容】
【００１６】
移動端末のスイッチオン又は起動後に最初に実行される認証手続きが、個々に検査及び／又は入手された接続オプションに対するデータを移動端末の記憶器内に記憶する。後続する認証手続きが、記憶されたデータを上書きするか又はアップデートする。データの記憶に関連する接続オプションを定期的に認証することによって、伝送特性の悪化又は現在のアクセスポイントへの接続の故障の場合に、新たな認証手続きを費やすことなしに、最後に使用した規格の範囲内又は範囲外の別のアクセスポイントに交換することが可能である。したがって、接続していない時間が最小限に抑えられる。
本発明の良好な実施形では、利用可能な接続オプションの認証が、１つの信号を可能なアクセスポイントに送信して受信信号を評価することによって又は受信信号を評価することだけによって実行される。


【国際調査報告】
2006512010.tif 000002
2006512010.tif 000003
2006512010.tif 000004
2006512010.tif 000005
2006512010.tif 000006
2006512010.tif 000007